(57)【特許請求の範囲】
【請求項１】
遊技媒体貸出機の上部に設置されて遊技機に並設される台間紙幣受入搬送装置において、遊技媒体貸出機の上部に設置される固定枠部材と、この固定枠部材に挿脱可能に設置され、前面より受け入れる紙幣を背面に設置される主搬送装置に受け渡す主体部材とからなり、互いに係合して主体部材の引き抜きを防止する引抜防止手段を固定枠部材と主体部材とに設けると共に、引抜防止手段同士の係合を解除する係合解除手段を遊技媒体貸出機の内部から操作可能に設置したことを特徴とする台間紙幣受入搬送装置。
【請求項２】
係合解除手段が遊技媒体貸出機の施錠によって封止されることを特徴とする請求項１記載の台間紙幣受入搬送装置。
【請求項３】
係合解除手段は棒状部材からなり、上端側が引抜防止手段に係合可能に設置され、下端側が遊技媒体貸出機の施錠によって遊技媒体貸出機の内部に封止されることを特徴とする請求項１記載の台間紙幣受入搬送装置。
【発明の詳細な説明】
【０００１】
【発明の属する技術分野】
本発明は、遊技場ホールにおいてパチンコ機やスロットマシンなどの遊技機に並設される遊技媒体貸出機の上部に設置され、遊技に使用するパチンコ玉やメタルなどの遊技媒体を遊技客が借りる際に支払う紙幣の投入口を前面部に有し、その投入口に挿入された紙幣を背面に設置される主搬送装置まで搬送する台間紙幣受入搬送装置に関するものである。
【０００２】
【従来の技術】
台間紙幣受入搬送装置１００は、例えば図３に示したように横並びに設置されるパチンコ機やスロットマシンなどの遊技機４００の間に設置される。
【０００３】
図３に示した台間紙幣受入搬送装置１００は、図４に示したように遊技媒体貸出機３００の上部に取り付けられる固定枠部材１１０と、この固定枠部材１１０に挿脱可能に設けられた主体部材１５０とからなり、主体部材１５０は遊技客が遊技に使用するパチンコ玉やメタルなどの遊技媒体を借りる際に支払う紙幣を入れるための紙幣投入口１５１を前面部に有すると共に、内部には紙幣投入口１５１に投入された紙幣９００の真贋をチェックする紙幣チェック手段、背面側に搬送する搬送手段など（何れも図示せず）を備えて構成されている。
【０００４】
紙幣投入口１５１に投入される紙幣９００の中には使い古されたものもあり、主体部材１５０の紙幣搬送手段や、背面部に設置される主搬送装置２００などで紙幣詰まりが発生することがあるので、詰まった紙幣が簡単に取り除けるように主体部材１５０は固定枠部材１１０から引き抜ける構造になっている。
【０００５】
また、台間紙幣受入搬送装置１００は、主体部材１５０が固定枠部材１１０から引き抜かれると、その背面部に設置されている主搬送装置２００が丸見えとなり、そこを搬送されている紙幣を抜き取ることも可能になるので、主搬送装置２００により遊技島４５０の端部に設けられた金庫２０１に向けて搬送されている紙幣が、素行の悪い遊技客や下級店員に盗み取られることがないように、例えば図４に示したような引抜防止機構が設けられている。
【０００６】
すなわち、図４に示した構成の台間紙幣受入搬送装置１００においては、固定枠部材１１０の垂直板部材からなる引抜防止手段１１１と、主体部材１５０の上部にビス１５２とコイルばね１５３とで図面下向きに付勢して取り付けられ、先端部が背面側に突出した板ばねからなる引抜防止手段１５４の下向きに屈曲した係合部分１５５とが、主体部材１５０が固定枠部材１１０の前面部から奥の設置部に押し込まれたときに係合して抜き取ることができなくすると共に、台間紙幣受入搬送装置１００が設置されている上側の幕板４５１を開錠して図４のように開き、腕５００を差し込み、係合部分１５５の下端部から上方に傾斜した操作部１５６に指５０１を掛けて図面上向きの力を加えると、コイルばね１５３が変形して操作部１５６の側が持ち上げられ、固定枠部材１１０の引抜防止手段１１１と、主体部材１５０側の引抜防止手段１５４の係合部分１５５との係合が解除され、主体部材１５０の前方への引き抜きが可能になっている。
【０００７】
【発明が解決しようとする課題】
しかし、上記図４に示した構成の台間紙幣受入搬送装置においては、上部の幕板を開け、そこから腕を入れて引抜防止手段と係合手段との係合を解除するものであったため、作業が極めてし難いと云った問題点があり、紙幣を受け取って背面側に搬送する主体部材が必要に応じて簡単に引き抜ける構成にする必要があり、これが解決すべき課題であった。
【０００８】
【課題を解決するための手段】
本発明は上記従来技術の課題を解決するため、遊技媒体貸出機の上部に設置されて遊技機に並設される台間紙幣受入搬送装置において、遊技媒体貸出機の上部に設置される固定枠部材と、この固定枠部材に挿脱可能に設置され、前面より受け入れる紙幣を背面に設置される主搬送装置に受け渡す主体部材とからなり、互いに係合して主体部材の引き抜きを防止する引抜防止手段を固定枠部材と主体部材とに設けると共に、引抜防止手段同士の係合を解除する係合解除手段を遊技媒体貸出機の内部から操作可能に設置するようにした第１の構成の台間紙幣受入搬送装置と、
【０００９】
前記第１の構成の台間紙幣受入搬送装置において、係合解除手段が遊技媒体貸出機の施錠によって封止されるようにした第２の構成の台間紙幣受入搬送装置と、
【００１０】
前記第１の構成の台間紙幣受入搬送装置において、係合解除手段は棒状部材からなり、上端側が引抜防止手段に係合可能に設置され、下端側が遊技媒体貸出機の施錠によって遊技媒体貸出機の内部に封止されるようにした第３の構成の台間紙幣受入搬送装置と、
を提供するものである。
【００１１】
【発明の実施の形態】
以下、本発明の一実施形態を図面に基づいて説明する。
図１と図２に示した本発明の台間紙幣受入搬送装置１００は、前記図４に示した台間紙幣受入搬送装置１００が備えていなかった棒状の係合解除手段１１２を固定枠部材１１０に備えている。
【００１２】
棒状の係合解除手段１１２は、例えば図面右側が開口した断面コ字状に板部材から屈曲形成され、固定枠部材１１０に挿入設置された主体部材１５０の引抜防止手段１５４の操作部１５６の下側に上端部が位置し、下端部は遊技媒体貸出機３００の天板３０１に開設した穴３０２を抜けて、施錠可能な遊技媒体貸出機３００の内側に位置し、屈曲形成した下端部の操作部１１３を握るなどして上方に押し上げると、上端部が引抜防止手段１５４の操作部１５６の下側に当たり、さらに押し上げてコイルばね１５３を変形させると、固定枠部材１１０の引抜防止手段１１１と主体部材１５０の引抜防止手段１５４（操作部１５６）との係合が解除されるように設けられている。
【００１３】
すなわち、遊技媒体貸出機３００は、店長またはそれに代わる上級店員が所持している鍵３０３によって前扉３０４の施錠／開錠が可能に設けられており、前面が開放される遊技媒体貸出機３００の内部に係合解除手段１１２の下端部の操作部１１３が位置し、その部分を握るなどして係合解除手段１１２を上方に押し上げて、固定枠部材１１０の引抜防止手段１１１と主体部材１５０の引抜防止手段１５４（操作部１５６）との係合が解除できるように構成されれている。
【００１４】
また、係合解除手段１１２は、遊技媒体貸出機３００の内部に埋没することがないように上側が天板３０１の穴３０２より太く形成されている。すなわち、係合解除手段１１２は段部１１２ａより上側が穴３０２より太く、段部１１２ａより下側が穴３０２より細く、段部１１２ａが穴３０２の周りの天板３０１に係合して落下しないようになっている。
【００１５】
したがって、主体部材１５０を固定枠部材１１０の所定の位置まで押し込んで、主体部材１５０の引抜防止手段１５４と固定枠部材１１０の引抜防止手段１１１とを係合させ、遊技媒体貸出機３００の前扉３０４を施錠することで、係合解除手段１１２の操作ができなくなり、主体部材１５０を引き抜くことができなくなるので、主搬送装置２００によって金庫２０１に搬送されている紙幣が素行の悪い遊技客や下級店員によって盗み取られることがない。
【００１６】
一方、開錠して遊技媒体貸出機３００の前扉３０４を開けると、腕５００をその中に入れて係合解除手段１１２を押し上げ、主体部材１５０の引抜防止手段１５４と固定枠部材１１０の引抜防止手段１１１との係合を解除することが可能であり、その状態で主体部材１５０を固定枠部材１１０から引き抜くことができるので、主搬送装置２００で金庫２０１に搬送している紙幣が詰まっても、容易にその詰まった紙幣を取り除くことができる。
【００１７】
なお、この台間紙幣受入搬送装置１００においては、主体部材１５０に引抜防止手段１５４を図面下向きに付勢して固定しているビス１５２とコイルばね１５３とで、フック状の落下防止手段１５７が図面上向きに付勢して主体部材１５０に取り付けられている。この落下防止手段１５７は、主体部材１５０が固定枠部材１１０から引き抜かれる寸前で、固定枠部材１１０の前側の内側に突出して設けた落下防止手段１１４に係合し、そのまま前方への引き抜きを防止するものであり、先端側を上方から下方に指で押すとコイルばね１５３が変形して先端部が図面下方向に傾斜し、落下防止手段１１４との係合が解除されるものである。
【００１８】
したがって、投入された紙幣９００の真贋をチェックしたり、背面側の主搬送装置２００に向けて搬送する手段を備えているために重くなっている主体部材１５０を、固定枠部材１１０から不用意に引き抜いて落とすと云ったことがない。
【００１９】
また、この台間紙幣受入搬送装置１００においては、支持部材１５８により固定枠部材１１０側が支持された上下２本の連結部材１１５を介して、固定枠部材１１０が主搬送装置２００と連結され、主体部材１５０が重くなっても全体が前傾しないように構成されている。
【００２０】
なお、本発明は上記実施形態に限定されるものではないので、特許請求の範囲に記載の趣旨から逸脱しない範囲で各種の変形実施が可能である。
【００２１】
例えば、引抜防止手段１５４・落下防止手段１５７は、板ばねを利用して形成することもできる。そして、引抜防止手段１５４・落下防止手段１５７を板ばね部材で形成するときには、引抜防止手段１５２と落下防止手段１５７とを一つの板部材から、すなわち引抜防止手段１５２を例えば大きく形成し、そこにスリットを入れて中央部分を上に引き上げ、この引き上げた部分で落下防止手段１５７を形成するようにしてもよい。
【００２２】
また、係合解除手段１１２は、丸棒部材を折り曲げ加工などして形成することもできる。
【００２３】
【発明の効果】
以上説明したように本発明によれば、台間紙幣受入搬送装置の主体部材の引抜防止解除が遊技媒体貸出装置の内部から行えるので、高所の幕板を開けて行う従来のものより操作性が各段に向上した。
【００２４】
また、遊技媒体貸出装置の前扉は従来から施錠する構成であったため、主体部材の引抜防止を解除するための鍵（錠）を新たに設ける必要がなく、装置を廉価に構成することができると云った利点もある。
【図面の簡単な説明】
【図１】本発明の一実施形態を示す説明図であり、主体部材が所定位置に収納設置されている状態を示す図である。
【図２】本発明の一実施形態を示す説明図であり、主体部材が手前に引き出されている状態を示す図である。
【図３】一実施形態の利用形態を示す説明図である。
【図４】従来技術を示す説明図である。
【符号の説明】
１００  台間紙幣受入搬送装置
１１０  固定枠部材
１１１  引抜防止手段
１１２  係合解除手段
１１３  操作部
１１４  落下防止手段
１１５  連結部材
１５０  主体部材
１５１  紙幣投入口
１５２  ビス
１５３  コイルばね
１５４  引抜防止手段
１５５  係合部分
１５６  操作部
１５７  落下防止手段
１５８  支持部材
２００  主搬送装置
２０１  金庫
３００  遊技媒体貸出機
３０１  天板
３０２  穴
３０３  鍵
３０４  前扉
４００  遊技機
４５０  遊技島
４５１  幕板
５００  腕
５０１  指
９００  紙幣
【図１】
0003663093.tif 000002
【図２】
0003663093.tif 000003
【図３】
0003663093.tif 000004
【図４】
0003663093.tif 000005